(57)【要約】【課題】映像データを表示機器に伝送する仕様を設定する技術を提供する。【解決手段】画面生成部１１４は、表示機器４に出力する映像データの仕様に関する複数項目の設定値をユーザが選択するための出力設定画面を生成する。設定登録部１１０は、出力設定画面においてユーザが選択した設定値を登録する。画面生成部１１４は、第１項目の設定値と、第２項目の設定値をユーザが選択するための出力設定画面を生成し、第１項目は、第１値および第２値を選択可能な設定値として有し、第２項目は、第３値および第４値を選択可能な設定値として有する。ユーザが第１項目に関して第１値を選択すると、設定登録部１１０は、第１項目に関して第１値を登録し、且つ第２項目に関して第３値を登録する。ユーザが第２項目に関して第４値を選択すると、設定登録部１１０は、第２項目に関して第４値を登録し、且つ第１項目に関して第２値を登録する。【選択図】図４
2018011274.tif 000002
【特許請求の範囲】
【請求項１】
表示機器に映像データを伝送する情報処理装置であって、
表示機器に出力する映像データの仕様に関する複数項目の設定値をユーザが選択するための出力設定画面を生成する画面生成部と、
出力設定画面においてユーザが選択した設定値を登録する設定登録部と、を備え、
前記画面生成部は、第１項目の設定値と、第２項目の設定値をユーザが選択するための出力設定画面を生成し、第１項目は、第１値および第２値を選択可能な設定値として有し、第２項目は、第３値および第４値を選択可能な設定値として有するものであって、
ユーザが第１項目に関して第１値を選択すると、前記設定登録部は、第１項目に関して第１値を登録し、且つ第２項目に関して第３値を登録し、
ユーザが第２項目に関して第４値を選択すると、前記設定登録部は、第２項目に関して第４値を登録し、且つ第１項目に関して第２値を登録する、
ことを特徴とする情報処理装置。
【請求項２】
第１項目において、第１値は、表示機器が対応している第１機能を有効にするための設定値であり、第２値は、第１機能を無効にするための設定値であって、
第２項目において、第３値は、表示機器が対応している第２機能を有効にするための設定値であり、第４値は、第２機能を無効にするための設定値である、
ことを特徴とする請求項１に記載の情報処理装置。
【請求項３】
第１機能は、ハイダイナミックレンジ出力機能であり、第２機能は、ディープカラー出力機能である、
ことを特徴とする請求項２に記載の情報処理装置。
【請求項４】
前記設定登録部は、ユーザが第１項目に関して第２値を選択しても、第２項目の設定値を変更せず、
前記設定登録部は、ユーザが第２項目に関して第３値を選択しても、第１項目の設定値を変更しない、
ことを特徴とする請求項１から３のいずれかに記載の情報処理装置。
【請求項５】
アプリケーションに設定されているデータ仕様を取得して、取得したデータ仕様と、前記設定登録部が登録した複数項目の設定値とに基づいて、表示機器に出力する映像データの解像度、輝度レンジおよび色深度を決定するパラメータ決定部と、
を備えることを特徴とする請求項１から４のいずれかに記載の情報処理装置。
【請求項６】
前記パラメータ決定部は、ＨＤＣＰのバージョンを、出力する映像データの解像度に基づいて決定する、
ことを特徴とする請求項５に記載の情報処理装置。
【請求項７】
表示機器に出力する映像データの仕様を設定する方法であって、
表示機器に出力する映像データの仕様に関する複数項目の設定値をユーザが選択するための出力設定画面を生成するステップと、
出力設定画面においてユーザが選択した設定値を登録するステップと、を備え、
出力設定画面の生成ステップは、第１項目の設定値と、第２項目の設定値をユーザが選択するための出力設定画面を生成し、第１項目は、第１値および第２値を選択可能な設定値として有し、第２項目は、第３値および第４値を選択可能な設定値として有するものであって、
設定値登録ステップは、
ユーザが第１項目に関して第１値を選択すると、第１項目に関して第１値を登録し、且つ第２項目に関して第３値を登録し、
ユーザが第２項目に関して第４値を選択すると、第２項目に関して第４値を登録し、且つ第１項目に関して第２値を登録する、
ことを特徴とする映像仕様設定方法。
【請求項８】
表示機器と接続するコンピュータに、
表示機器に出力する映像データの仕様に関する複数項目の設定値をユーザが選択するための出力設定画面を生成する機能と、
出力設定画面においてユーザが選択した設定値を登録する機能と、を実現させるためのプログラムであって、
出力設定画面の生成機能は、第１項目の設定値と、第２項目の設定値をユーザが選択するための出力設定画面を生成する機能を含み、第１項目は、第１値および第２値を選択可能な設定値として有し、第２項目は、第３値および第４値を選択可能な設定値として有するものであって、
設定値登録機能は、
ユーザが第１項目に関して第１値を選択すると、第１項目に関して第１値を登録し、且つ第２項目に関して第３値を登録する機能と、
ユーザが第２項目に関して第４値を選択すると、第２項目に関して第４値を登録し、且つ第１項目に関して第２値を登録する機能とを含む、
ことを特徴とするプログラム。
【発明の詳細な説明】
【技術分野】
【０００１】
本発明は、映像データを表示機器に伝送する情報処理装置または当該情報処理装置における情報処理技術に関する。
【背景技術】
【０００２】
特許文献１は、アプリケーションの実行環境に応じて、表示機器に出力する映像のフォーマットを設定する技術を開示する。特許文献１に開示された技術によれば、アプリケーションに設定されている描画解像度と、表示機器の出力可能な映像フォーマットの組み合わせが複数種類存在する場合に、対応テーブルにおいて順位の高い組合せに対応付けられた映像フォーマットが選択される。
【０００３】
近年、表示機器の高輝度化、高コントラスト化の技術開発が進み、従来のＳＤＲ（Standard Dynamic Range）に対して輝度レンジを拡大したＨＤＲ（High Dynamic Range）映像を処理する技術が注目されている。
【０００４】
デジタル映像の画質は、平面解像度、色深度、フレームレート（時間解像度）、色域、輝度レンジによって決定される。ＵＨＤ（Ultra HD）のITU-R BT.2020は、超高精細な映像表示のために、これらの要素についての規格化を行っている。フルＨＤの規格であるITU-R BT.709で輝度レンジは０〜１００nitと定められていたのに対し、ITU-R BT.2020では、輝度レンジが０〜１００００nitと拡大されている。ＨＤＲ映像は、これまで再現できなかった明るさを肉眼に近い状態で表現し、太陽からの直接光など実世界で眩しいと感じるようなものを、表示機器上でよりリアルに再現する。
【先行技術文献】
【特許文献】
【０００５】
【特許文献１】特開２００８−７６７７５号公報
【発明の概要】
【発明が解決しようとする課題】
【０００６】
これから開発される表示機器には、ＨＤＲ出力機能が徐々に標準搭載されていくことが予想されるが、ＨＤＲ出力機能の有効／無効の設定は、ユーザによって選択される。この選択操作は、任意のタイミングで実施可能であり、たとえば情報処理装置に表示機器を接続したタイミングで初期設定の一環として実施されてよい。このときユーザはＨＤＲ出力機能の有効／無効の設定だけでなく、他の様々な映像データに関する仕様も併せて設定するため、出力映像仕様の設定処理を複雑化させることなく、容易に仕様設定できるようにするユーザインタフェースを提供することが好ましい。
【０００７】
なお映像データの超高精細化により、映像データの不正コピーを防止する要請も高まっている。コピー保護技術の一つに、情報処理装置と表示機器との間の伝送経路を暗号化するＨＤＣＰ（High-bandwidth Digital Content Protection）プロトコルが存在するが、現在主流であるＨＤＣＰ１．４に加えて、映像データをより厳重に保護するＨＤＣＰ２．２が新たに策定され、今後開発される表示機器には、ＨＤＣＰ１．４のみならず、ＨＤＣＰ２．２にも対応することが求められている。
【０００８】
本発明は、表示機器に出力する映像データの仕様を簡易に設定可能とする技術を提供することを目的とする。
【課題を解決するための手段】
【０００９】
上記課題を解決するために、本発明のある態様の情報処理装置は、表示機器に映像データを伝送する情報処理装置であって、表示機器に出力する映像データの仕様に関する複数項目の設定値をユーザが選択するための出力設定画面を生成する画面生成部と、出力設定画面においてユーザが選択した設定値を登録する設定登録部と、を備える。画面生成部は、第１項目の設定値と、第２項目の設定値をユーザが選択するための出力設定画面を生成し、第１項目は、第１値および第２値を選択可能な設定値として有し、第２項目は、第３値および第４値を選択可能な設定値として有するものであって、ユーザが第１項目に関して第１値を選択すると、設定登録部は、第１項目に関して第１値を登録し、且つ第２項目に関して第３値を登録し、ユーザが第２項目に関して第４値を選択すると、設定登録部は、第２項目に関して第４値を登録し、且つ第１項目に関して第２値を登録する。
【００１０】
本発明の別の態様は、映像仕様設定方法である。この方法は、表示機器に出力する映像データの仕様を設定する方法であって、表示機器に出力する映像データの仕様に関する複数項目の設定値をユーザが選択するための出力設定画面を生成するステップと、出力設定画面においてユーザが選択した設定値を登録するステップと、を備える。出力設定画面の生成ステップは、第１項目の設定値と、第２項目の設定値をユーザが選択するための出力設定画面を生成し、第１項目は、第１値および第２値を選択可能な設定値として有し、第２項目は、第３値および第４値を選択可能な設定値として有するものであって、設定値登録ステップは、ユーザが第１項目に関して第１値を選択すると、第１項目に関して第１値を登録し、且つ第２項目に関して第３値を登録し、ユーザが第２項目に関して第４値を選択すると、第２項目に関して第４値を登録し、且つ第１項目に関して第２値を登録する。
【００１１】
なお、以上の構成要素の任意の組合せ、本発明の表現を方法、装置、システム、記録媒体、コンピュータプログラムなどの間で変換したものもまた、本発明の態様として有効である。
【発明の効果】
【００１２】
本発明によると、表示機器に出力する映像データの仕様を簡易に設定可能とする技術を提供できる。
【図面の簡単な説明】
【００１３】
【図１】情報処理システムの例を示す図である。
【図２】情報処理装置の機能ブロックを示す図である。
【図３】ＰＡＲＡＭファイルに記述されたパラメータ情報の例を示す図である。
【図４】メインシステムの構成を示す図である。
【図５】映像出力設定のための画面例を示す図である。
【図６】解像度選択領域の一例を示す図である。
【図７】フォーカス枠の配置例を示す図である。
【図８】ＨＤＲ設定領域の一例を示す図である。
【図９】ディープカラー設定領域の一例を示す図である。
【図１０】映像出力の設定画面の一例を示す図である。
【発明を実施するための形態】
【００１４】
図１は実施の形態における情報処理システム１を示す。情報処理システム１は、ユーザ端末である情報処理装置１０、ユーザが操作する入力装置６および表示機器４を備える。アクセスポイント（以下、「ＡＰ」とよぶ）８は、無線アクセスポイントおよびルータの機能を有し、情報処理装置１０は、無線または有線経由でＡＰ８に接続して、ネットワーク３に接続する。情報処理装置１０はＵＳＢ（Universal Serial Bus）ケーブルで補助記憶装置（図示せず）に接続する。補助記憶装置は、ＨＤＤ（ハードディスクドライブ）やフラッシュメモリなどで構成され、情報処理装置１０に内蔵されてもよい。
【００１５】
情報処理装置１０は、アプリケーションを実行するゲーム装置であってよく、入力装置６はゲームコントローラなど情報処理装置１０に対してユーザの操作信号を提供する機器であってよい。なお入力装置６は、ゲームコントローラに限らず、キーボード、マウス、ジョイスティック、タッチパッドなどユーザの操作信号を情報処理装置１０に提供可能な機器であってよい。
【００１６】
表示機器４は、映像出力機能および音声出力機能を有するテレビであり、液晶ディスプレイ、プラズマディスプレイ、有機ＥＬディスプレイなどのディスプレイを有する。なお表示機器４はプロジェクタであってもよい。実施例の表示機器４はＨＤＭＩ（登録商標：High-Definition Multimedia Interface）機器であり、ＨＤＲ出力機能と、ディープカラー出力機能を搭載している。
【００１７】
情報処理装置１０は、ユーザの操作信号を入力装置６から受信すると、操作信号に応じた映像データを生成して、表示機器４に出力する。たとえば情報処理装置１０は、ユーザの操作信号をゲームアプリケーションの処理に反映させてゲーム映像データを生成し、表示機器４に出力する。また情報処理装置１０は、ユーザの操作信号に応じて映画などの動画データを再生し、表示機器４に出力してもよい。
【００１８】
情報処理装置１０と表示機器４との間は、ＨＤＭＩケーブル５により接続される。なお情報処理装置１０と表示機器４との間は、無線ＨＤＭＩによって接続されてもよい。実施例において、情報処理装置１０と表示機器４との間で伝送されるデジタルデータは、ＨＤＣＰプロトコルによって暗号化される。ＨＤＣＰプロトコルでは、デジタルデータを送出する情報処理装置１０が表示機器４を認証し、デジタルデータの暗号に使う鍵を両者で共有することで、伝送データの暗号化が行われる。
【００１９】
実施例では、情報処理装置１０が、２つのバージョンのＨＤＣＰプロトコル、具体的にはＨＤＣＰ１．４とＨＤＣＰ２．２に対応可能であるものとして説明するが、それ以外のバージョンのＨＤＣＰプロトコルに対応可能であってもよい。これに対して表示機器４は少なくともＨＤＣＰ１．４に対応可能であり、さらに表示機器４によってはＨＤＣＰ２．２にも対応可能である。情報処理装置１０は、実行するアプリケーションからの要請に基づいて、使用するＨＤＣＰのバージョンを決定し、決定したバージョンのＨＤＣＰプロトコルでデジタルデータを暗号化して、表示機器４に伝送する。これにより、ＨＤＭＩケーブル５を伝送されるデジタルデータの盗聴や改ざんが防止されるようになる。
【００２０】
図２は、情報処理装置１０の機能ブロックを示す。情報処理装置１０は、メイン電源ボタン２０、電源ＯＮ用ＬＥＤ２１、スタンバイ用ＬＥＤ２２、システムコントローラ２４、クロック２６、デバイスコントローラ３０、メディアドライブ３２、ＵＳＢモジュール３４、フラッシュメモリ３６、無線通信モジュール３８、有線通信モジュール４０、サブシステム５０およびメインシステム６０を有して構成される。
【００２１】
メインシステム６０は、メインＣＰＵ（Central Processing Unit）、主記憶装置であるメモリおよびメモリコントローラ、ＧＰＵ（Graphics Processing Unit）などを備える。ＧＰＵはゲームプログラムの演算処理に主として利用される。これらの機能はシステムオンチップとして構成されて、１つのチップ上に形成されてよい。メインＣＰＵはＯＳを起動し、ＯＳが提供する環境下において、補助記憶装置にインストールされたアプリケーションや、ＲＯＭ媒体４４に記録されたアプリケーションを実行する機能をもつ。
【００２２】
サブシステム５０は、サブＣＰＵ、主記憶装置であるメモリおよびメモリコントローラなどを備え、ＧＰＵを備えない。サブＣＰＵは、メインＣＰＵがスタンバイ状態にある間においても動作するものであり、消費電力を低く抑えるべく、その処理機能を制限されている。本実施例の情報処理装置１０は、メインシステム６０のスタンバイ時にはサブシステム５０が稼働しているため、ネットワーク３上のサーバ（図示せず）が提供するネットワークサービスに、常時サインインした状態を維持する。
【００２３】
メイン電源ボタン２０は、ユーザからの操作入力が行われる入力部であって、情報処理装置１０の筐体の前面に設けられ、情報処理装置１０のメインシステム６０への電源供給をオンまたはオフするために操作される。電源ＯＮ用ＬＥＤ２１は、メインシステム６０がアクティブ状態にあるときに点灯し、スタンバイ用ＬＥＤ２２は、メインシステム６０がスタンバイ状態にあるときに点灯する。
【００２４】
システムコントローラ２４は、ユーザによるメイン電源ボタン２０の押下を検出する。メイン電源がオフ状態にあるときにメイン電源ボタン２０が押下されると、システムコントローラ２４は、その押下操作を「オン指示」として取得し、一方で、メイン電源がオン状態にあるときにメイン電源ボタン２０が押下されると、システムコントローラ２４は、その押下操作を「オフ指示」として取得する。
【００２５】
クロック２６はリアルタイムクロックであって、現在の日時情報を生成し、システムコントローラ２４やサブシステム５０およびメインシステム６０に供給する。
【００２６】
デバイスコントローラ３０は、サウスブリッジのようにデバイス間の情報の受け渡しを実行するＬＳＩ（Large-Scale Integrated Circuit）として構成される。図示のように、デバイスコントローラ３０には、システムコントローラ２４、メディアドライブ３２、ＵＳＢモジュール３４、フラッシュメモリ３６、無線通信モジュール３８、有線通信モジュール４０、サブシステム５０およびメインシステム６０などのデバイスが接続される。デバイスコントローラ３０は、それぞれのデバイスの電気特性の違いやデータ転送速度の差を吸収し、データ転送のタイミングを制御する。
【００２７】
メディアドライブ３２は、ゲームなどのアプリケーションソフトウェア、およびライセンス情報を記録したＲＯＭ媒体４４を装着して駆動し、ＲＯＭ媒体４４からプログラムやデータなどを読み出すドライブ装置である。ＲＯＭ媒体４４は、光ディスクや光磁気ディスク、ブルーレイディスクなどの読出専用の記録メディアである。
【００２８】
ＵＳＢモジュール３４は、外部機器とＵＳＢケーブルで接続するモジュールである。ＵＳＢモジュール３４は補助記憶装置とＵＳＢケーブルで接続してもよい。フラッシュメモリ３６は、内部ストレージを構成する補助記憶装置である。無線通信モジュール３８は、Bluetooth（登録商標）プロトコルやIEEE802.11プロトコルなどの通信プロトコルで、たとえば入力装置６と無線通信する。なお無線通信モジュール３８は、第４世代のデジタル携帯電話方式に対応してもよく、さらには別の世代のデジタル携帯電話方式に対応してもよい。有線通信モジュール４０は、ＡＰ８を介してネットワーク３に接続する。
【００２９】
実施例の情報処理装置１０は、複数の平面解像度（描画解像度）で、表示機器４に伝送するアプリケーションの映像データを生成する機能をもつ。
（１）７２０ｐ    （１２８０×７２０）
（２）１０８０ｉ  （１９２０×１０８０）
（３）１０８０ｐ  （１９２０×１０８０）
（４）２１６０ｐ  （３８４０×２１６０）
ここで（１）７２０ｐ、（２）１０８０ｉ、（３）１０８０ｐは、ＨＤ（High Definition：高精細度）テレビに対応した解像度であり、（４）２１６０ｐは、４Ｋ  ＵＨＤ（Ultra High Definition：超高精細度）テレビに対応した解像度である。以下、ゲームアプリケーションの映像データについて説明するが、アプリケーションは、映像データを出力する他のアプリケーション、たとえば動画再生アプリケーションであってもよい。
【００３０】
ゲームアプリケーションは、ゲームを進行させるゲームプログラムと、ゲームプログラムが利用するゲームデータと、ゲームのコンテンツ情報と、映像データおよび音声データの生成に関するパラメータ情報とを少なくとも含んで構成される。ゲームデータは、ゲームで展開されるステージのデータや、キャラクタデータなどを含む。コンテンツ情報は、アプリケーションのアイコン画像や説明情報などを含んだデータである。
【００３１】
パラメータ情報は、ゲームの描画解像度や、ゲームＡＶデータを暗号化するＨＤＣＰのバージョン情報など、データ仕様を規定する設定情報を含む。パラメータ情報は、ゲームプログラムの起動前に読み込まれて、描画解像度などのゲーム映像データの仕様設定や、データ暗号化に用いるＨＤＣＰバージョンの設定などに用いられる。
【００３２】
図３は、ＰＡＲＡＭファイルに記述されたパラメータ情報の例を示す。パラメータ情報には、タイトル名、描画解像度、音声出力フォーマット、出力暗号化の有無、出力暗号化を行う際のＨＤＣＰバージョン、ディープカラーの色深度、使用するＨＤＲ方式、・・・ペアレンタルロック機能の年齢情報などの設定情報などが含まれる。このうち、描画解像度、色深度、ＨＤＲ方式の設定情報は、映像データの生成仕様を規定し、また音声出力フォーマットは、音声データの生成仕様を規定する。ＨＤＲ方式は、少なくとも映像データの輝度レンジを定める。
【００３３】
図３に示されるＰＡＲＡＭファイルでは、タイトル名が“ＡＢＣサバイバル”、描画解像度が“２１６０ｐ”、音声出力フォーマットが“７．１ｃｈ”、ＨＣＤＰによる出力暗号化が“必須”、使用するＨＤＣＰバージョンが“２．２”、各色の色深度が“１０ビット”、ＨＤＲ方式が“ＨＤＲ１０”、・・・ペアレンタルロック機能の年齢情報が“１２才”に設定されている。
【００３４】
図４は、メインシステム６０の構成を示す。メインシステム６０は、入力受付部１０２、機器情報取得部１０４、設定登録部１１０、アプリケーション処理部１１２、画面生成部１１４、出力パラメータ決定部１１６および出力処理部１１８を備える。機器情報取得部１０４は、特性情報取得部１０６およびＨＤＣＰ情報取得部１０８を有する。
【００３５】
図４において、さまざまな処理を行う機能ブロックとして記載される各要素は、ハードウェア的には、ＣＰＵ（Central Processing Unit）、メモリ、その他のＬＳＩで構成することができ、ソフトウェア的には、メモリにロードされたＯＳプログラムやゲームプログラムなどのプログラムによって実現される。したがって、これらの機能ブロックがハードウェアのみ、ソフトウェアのみ、またはそれらの組合せによっていろいろな形で実現できることは当業者には理解されるところであり、いずれかに限定されるものではない。
【００３６】
機器情報取得部１０４は、ＨＤＭＩ機器が情報処理装置１０に接続されると、ＨＤＭＩ機器との間で機器認証を実行する。ＨＤＭＩ機器である表示機器４は、ＥＤＩＤ（Extended Display Identification Data）回路を有し、情報処理装置１０にＨＤＭＩケーブル５で接続されると、ＥＤＩＤ回路に電源を供給され、ＥＤＩＤ回路が機器情報取得部１０４と通信できるようになる。
【００３７】
特性情報取得部１０６は、表示機器４に対して、ＥＤＩＤ情報の送信を要求する。ＥＤＩＤ情報は、表示機器４の属性情報、および出力可能な映像や音声のパラメータを指定する特性情報を含む。ＥＤＩＤ情報は属性情報として、メーカ名、モデル名、シリアルナンバ、製造時期などを含む。またＥＤＩＤ情報は特性情報として、ディスプレイの推奨解像度およびリフレッシュレートと、推奨解像度以外の表示可能な解像度およびリフレッシュレート、ならびに色特性を少なくとも含む。さらにＥＤＩＤ情報は、補助的な特性情報として、画面の物理的寸法、ディスプレイの伝送特性（ガンマ特性）、３Ｄビデオフォーマット、ディープカラーの色深度、ＨＤＲ出力が可能であるか否かを示す情報、およびＨＤＲ出力可能である場合に対応可能なＨＤＲ方式を含む。機器情報取得部１０４がＨＤＭＩ機器の接続を認識すると、特性情報取得部１０６がＥＤＩＤ情報の送信を要求し、表示機器４からＥＤＩＤ情報を取得する。特性情報取得部１０６は、取得したＥＤＩＤ情報を、設定登録部１１０に供給する。
【００３８】
設定登録部１１０は、特性情報取得部１０６からＥＤＩＤ情報を供給されると、ＥＤＩＤ情報に基づいて、表示機器４に出力する映像データの仕様（以下「映像仕様」と呼ぶこともある）に関する複数項目のデフォルト値を設定する。
【００３９】
ＥＤＩＤ情報に、画面の物理的寸法として、画面サイズが「５０インチ」であることが含まれていれば、設定登録部１１０は、表示機器４のテレビサイズを「５０インチ」に設定する。またＥＤＩＤ情報に、ＨＤＲ出力が可能であることを示す情報が含まれていれば、設定登録部１１０は、表示機器４のＨＤＲ出力機能を有効にすることを設定し、またディープカラー出力機能を有効にすることを設定する。設定登録部１１０は、各項目について設定した情報を、情報保持部１３０に登録する。
【００４０】
実施例の情報処理装置１０において、ユーザは、映像仕様に関する複数の項目の設定値を、映像出力設定画面において手動で選択し、登録できる。なお設定登録部１１０は、ＥＤＩＤ情報に基づいて映像仕様をデフォルト設定しており、ユーザに提示される映像出力設定の初期画面には、ＥＤＩＤ情報に基づいたデフォルト設定値が表示される。ユーザは入力装置６を操作して、デフォルト設定値を好みの設定値に変更できる。
【００４１】
図５は、映像出力設定のための画面例を示す。画面生成部１１４は、表示機器４に出力する映像データの仕様に関する複数項目の設定値をユーザが選択するための映像出力設定画面７０を生成し、表示機器４に表示させる。画面生成部１１４はＯＳの一機能として実現され、画面生成部１１４はシステム設定画面の一つとして、映像出力設定画面７０をユーザに提供する。
【００４２】
映像出力設定画面７０には、表示機器４に出力する映像仕様を定めるための項目として、「解像度」、「テレビサイズ」、「ＲＧＢレンジ」、「ＨＤＲ」、「ＤｅｅｐＣｏｌｏｒ出力」が表示される。初期画面において、各項目の表示領域右端には、ＥＤＩＤ情報に基づいて設定されたデフォルト設定値が表示されている。なお「映像出力情報」の項目は、選択されることで、設定された映像出力情報を表示させるためのユーザインタフェースである。
【００４３】
初期画面において、「テレビサイズ」の設定値が、ＥＤＩＤ情報に含まれる「画面の物理的寸法」にしたがって「５０インチ」にデフォルト設定されている。またＥＤＩＤ情報に、ＨＤＲ出力が可能であることを示す情報が含まれていたために、表示機器４のＨＤＲ出力機能の設定値が「自動」にデフォルト設定され、またディープカラー出力機能の設定値が「自動」にデフォルト設定されている。なおＥＤＩＤ情報に、ＨＤＲ出力が不能であることを示す情報が含まれていると、ＨＤＲ出力機能およびディープカラー出力機能の設定値は、ともに「オフ」（無効）にデフォルト設定されることになる。
【００４４】
映像出力設定画面７０には、映像仕様の項目を選択するためのフォーカス枠６６が表示される。ユーザは入力装置６を操作することでフォーカス枠６６を動かし、設定値を変更したい項目を選択する。フォーカス枠６６を「解像度」の表示領域に配置した状態で、ユーザが入力装置６の決定ボタンを操作すると、画面生成部１１４は「解像度」設定値の選択領域を表示する。
【００４５】
図６は、解像度選択領域の一例を示す。解像度選択領域７２は、映像出力設定画面７０の一部を構成する。「解像度」の設定値は、表示機器４に出力する映像データの解像度を定める。画面生成部１１４は、映像出力設定画面７０に「解像度」の設定値に関する説明文を表示し、解像度選択領域７２に、設定値の選択肢を表示する。
【００４６】
「解像度」のデフォルト設定値は「自動」に設定されている。「解像度」が「自動」に設定されていると、出力処理部１１８は、表示機器４が表示可能な解像度の中から、アプリケーションの要求に応じた最適な解像度で映像を出力する。実施例では、表示機器４が４Ｋテレビ、つまりＵＨＤテレビであり、情報処理装置１０の最大出力解像度である２１６０ｐに対応可能であるものとする。ユーザは「自動」以外に、フォーカス枠６６を動かして「７２０ｐ」、「１０８０ｉ」、「１０８０ｐ」、「２１６０ｐ」の出力解像度を選択できる。設定登録部１１０は、映像出力設定画面７０においてユーザが選択した設定値を情報保持部１３０に登録する。なお表示機器４が２Ｋテレビであり、２１６０ｐに対応不能である場合には、「２１６０ｐ」の出力解像度は選択不能とされる。解像度選択領域７２において「自動」以外の設定値が選択されると、情報処理装置１０は、選択された解像度で、映像データを表示機器４に出力する。
【００４７】
「ＲＧＢレンジ」の設定値は、表示機器４に出力する色階調の範囲を定める。「ＲＧＢレンジ」は「自動」にデフォルト設定されているが、色階調の入力範囲は表示機器４により異なることがあるため、表示機器４の画面表示がおかしい場合に、ユーザはフォーカス枠６６を「ＲＧＢレンジ」に動かして「ＲＧＢレンジ」設定値の選択領域を表示させ、設定値を変更する。
【００４８】
「ＨＤＲ」の設定値は、ＨＤＲ出力機能を有効にするか、または無効にするかを規定する。ここでＨＤＲ出力機能とは、映像輝度をハイダイナミックレンジで出力する機能である。ＨＤＲ（ハイダイナミックレンジ）映像はＳＤＲ（スタンダードダイナミックレンジ）映像と比較して、より実世界に近い明るさをディスプレイ上に再現する。
【００４９】
図７は、フォーカス枠６６を「ＨＤＲ」の表示領域に配置した状態を示す。この状態でユーザが入力装置６の決定ボタンを操作すると、画面生成部１１４は「ＨＤＲ」設定値の選択領域を表示する。
【００５０】
図８は、ＨＤＲ設定領域の一例を示す。ＨＤＲ設定領域７４は、映像出力設定画面７０の一部を構成する。「ＨＤＲ」の設定値は、表示機器４に出力するＨＤＲ出力機能の有効／無効を定める。画面生成部１１４はＨＤＲ設定領域７４に、設定値の選択肢を表示する。ＨＤＲ設定領域７４において、「自動」の設定値は、表示機器４が対応しているＨＤＲ出力機能を有効にするための設定値であり、「オフ」の設定値は、ＨＤＲ出力機能を無効にするための設定値である。
【００５１】
「ＨＤＲ」が「自動」に設定されていると、アプリケーションがＨＤＲ映像を生成可能な場合に、出力処理部１１８がＨＤＲ映像データを表示機器４に出力する。一方で「ＨＤＲ」が「オフ」に設定されていると、アプリケーションがＨＤＲ映像を生成可能であっても、また表示機器４がＨＤＲ出力可能であっても、出力処理部１１８は、ＳＤＲ映像データを表示機器４に出力する。ユーザは、ＨＤＲ出力を望まない場合には、フォーカス枠６６を「オフ」に動かして、入力装置６の決定ボタンを操作する。
【００５２】
映像出力設定画面７０において、画面生成部１１４は、ＨＤＲ設定値についての説明文を表示する。この説明文では、「自動」が選択されると、アプリケーションおよび表示機器４がＨＤＲ対応可能な場合に、表示機器４にて映像がハイダイナミックレンジで表示されることを示し、また「自動」が選択されると、「ＤｅｅｐＣｏｌｏｒ出力」の設定値も自動的に「自動」の設定値となることを示している。
【００５３】
ここで「ＤｅｅｐＣｏｌｏｒ出力」の設定値は、各色８ビットの２４ビット表現される色域を拡張して映像出力する機能（ディープカラー出力機能）を有効にするか、または無効にするかを規定する。ディープカラー出力機能が有効にされると、色域を拡大した映像がディスプレイ上に再現される。ＨＤＲ出力機能と、ディープカラー出力機能とは、映像出力において異なる機能であるため、映像出力設定画面７０では、これらの機能の有効／無効を選択するための領域が、互いに区別して設けられている。
【００５４】
実施例の情報処理システム１では、表示機器４における超高精細な映像表示を担保するべく、出力処理部１１８が、映像データをＨＤＲ出力する際には、ディープカラー出力もあわせて実施する。そのためＨＤＲ設定領域７４において、ユーザが「自動」を選択すると、入力受付部１０２が選択操作を受け付け、設定登録部１１０が、「ＨＤＲ」に関して「自動」の設定値を登録するとともに、「ＤｅｅｐＣｏｌｏｒ出力」に関して「自動」の設定値を強制的に登録する。つまりユーザがＨＤＲ出力機能を有効にすることを設定する場合には、連動してディープカラー出力機能も自動的に有効設定される。したがってユーザは、ＨＤＲ出力機能を有効設定する際に、ディープカラー出力機能を別操作で有効設定する必要がなく、簡便なユーザインタフェースが提供される。
【００５５】
実施例では「ＨＤＲ」を「自動」に設定した場合に、「ＤｅｅｐＣｏｌｏｒ出力」を連動して「自動」に設定することを説明したが、ＨＤＲ出力機能の実施に必要となる別の映像仕様が存在する場合には、当該別の映像仕様の設定値についても、同様にＨＤＲ出力機能の実施に必要な設定値に強制的に設定することが好ましい。
【００５６】
ＨＤＲ設定領域７４において、フォーカス枠６６を「自動」の表示領域に配置した状態で、ユーザが入力装置６の決定ボタンを操作すると、設定登録部１１０は、「ＨＤＲ」および「ＤｅｅｐＣｏｌｏｒ出力」に関して「自動」の設定値を情報保持部１３０に登録する。また同時に画面生成部１１４は、「ＨＤＲ」および「ＤｅｅｐＣｏｌｏｒ出力」の設定値をともに「自動」とする映像出力設定画面７０（たとえば図７を参照）を表示機器４に表示する。これによりユーザは、ＨＤＲ出力機能が有効に設定されていることを確認できる。
【００５７】
なおＨＤＲ設定領域７４において、フォーカス枠６６を「オフ」の表示領域に配置した状態で、ユーザが入力装置６の決定ボタンを操作すると、設定登録部１１０は、「ＨＤＲ」に関して「オフ」の設定値を情報保持部１３０に登録するが、「ＤｅｅｐＣｏｌｏｒ出力」の設定値を強制的に変更することはしない。つまり「ＤｅｅｐＣｏｌｏｒ出力」の設定値が「自動」であれば、「自動」のままで変更せず、「オフ」であれば「オフ」のままで変更しない。基本的にＨＤＲ出力機能とディープカラー出力機能とは別個の映像パラメータであるため、ＨＤＲ出力機能が無効にされても、設定登録部１１０は、ディープカラー出力機能の設定値を変更しないことが好ましい。
【００５８】
図９は、ディープカラー設定領域の一例を示す。ディープカラー設定領域７６は、映像出力設定画面７０の一部を構成する。「ＤｅｅｐＣｏｌｏｒ出力」の設定値は、表示機器４に出力するディープカラー出力機能の有効／無効を定める。画面生成部１１４はディープカラー設定領域７６に、設定値の選択肢を表示する。ディープカラー設定領域７６において、「自動」の設定値は、表示機器４が対応しているディープカラー出力機能を有効にするための設定値であり、「オフ」の設定値は、ディープカラー出力機能を無効にするための設定値である。
【００５９】
「ＤｅｅｐＣｏｌｏｒ出力」が「自動」に設定されていると、出力処理部１１８ないしはアプリケーションがディープカラー映像を生成可能な場合に、出力処理部１１８が、ディープカラー映像データを表示機器４に出力する。一方で「ＤｅｅｐＣｏｌｏｒ出力」が「オフ」に設定されていると、アプリケーションがディープカラー映像を生成可能であっても、また表示機器４がディープカラー出力可能であっても、出力処理部１１８は、標準の色深度、つまり各色８ビットで映像データを表示機器４に出力する。ユーザは、ディープカラー出力を望まない場合には、フォーカス枠６６を「オフ」に動かして、入力装置６の決定ボタンを操作する。
【００６０】
映像出力設定画面７０において、画面生成部１１４は、ＤｅｅｐＣｏｌｏｒ出力設定値についての説明文を表示する。この説明文は、「自動」が選択されると色の階調が細かく表現されること、ＨＤＲを使うためには「自動」を選択する必要があること、および「オフ」が選択されると、「ＨＤＲ」の設定値も自動的に「オフ」の設定値となることを示している。
【００６１】
ディープカラー設定領域７６において、フォーカス枠６６を「自動」の表示領域に配置した状態で、ユーザが入力装置６の決定ボタンを操作すると、設定登録部１１０は、「ＤｅｅｐＣｏｌｏｒ出力」に関して「自動」の設定値を情報保持部１３０に登録する。このとき設定登録部１１０は「ＨＤＲ」の設定値を強制的に変更することはしない。つまり「ＨＤＲ」の設定値が「自動」であれば、「自動」のままで変更せず、「オフ」であれば「オフ」のままで変更しない。基本的にＨＤＲ出力機能とディープカラー出力機能とは別個の映像パラメータであるため、ディープカラー出力機能が有効にされても、設定登録部１１０は、ＨＤＲ出力機能の設定値を変更しない。
【００６２】
一方で、図９に示すように、ディープカラー設定領域７６において、フォーカス枠６６を「オフ」の表示領域に配置した状態で、ユーザが入力装置６の決定ボタンを操作すると、入力受付部１０２が選択操作を受け付け、設定登録部１１０が、「ＤｅｅｐＣｏｌｏｒ出力」に関して「オフ」の設定値を登録するとともに、「ＨＤＲ」に関して「オフ」の設定値を強制的に登録する。つまりユーザがＤｅｅｐＣｏｌｏｒ出力機能を無効に設定する場合には、連動してＨＤＲ出力機能も自動的に無効設定される。これによりディープカラー出力を行わない状態でのＨＤＲ出力機能の実行を制限できるようになる。
【００６３】
図１０は、映像出力の設定画面の一例を示す。図９に示すディープカラー設定領域７６において、「ＤｅｅｐＣｏｌｏｒ出力」の設定値が「オフ」に設定されると、設定登録部１１０は、「ＤｅｅｐＣｏｌｏｒ出力」および「ＨＤＲ」に関して「オフ」の設定値を情報保持部１３０に登録する。また同時に画面生成部１１４は、「ＤｅｅｐＣｏｌｏｒ出力」および「ＨＤＲ」の設定値をともに「オフ」とする映像出力設定画面７０を表示機器４に表示する。これによりユーザは、ディープカラー出力機能が無効に設定されたことにともなって、ＨＤＲ出力機能が無効設定されたことを確認できる。
【００６４】
上記したように、実施例の画面生成部１１４は、少なくとも「ＨＤＲ」の設定値と、「ＤｅｅｐＣｏｌｏｒ出力」の設定値をユーザが選択するための映像出力設定画面７０を生成する。「ＨＤＲ」は、ＨＤＲ出力機能を有効にするための第１値（「自動」）と、ＨＤＲ出力機能を無効にするための第２値（「オフ」）とを選択可能な設定値として有し、また「ＤｅｅｐＣｏｌｏｒ出力」は、ディープカラー出力機能を有効にするための第３値（「自動」）と、ディープカラー出力機能を無効にするための第４値（「オフ」）とを選択可能な設定値として有している。
【００６５】
ユーザが「ＨＤＲ」に関して第１値（「自動」）を選択すると、設定登録部１１０は、「ＨＤＲ」に関して第１値（「自動」）を登録し、且つ「ＤｅｅｐＣｏｌｏｒ出力」に関して第３値（「自動」）を自動的に登録する。これにより、ＨＤＲ出力機能を実行する際には、必ずディープカラー出力機能を有効とした映像出力設定を実現できる。
【００６６】
一方で、ユーザが「ＤｅｅｐＣｏｌｏｒ出力」に関して第４値（「オフ」）を選択すると、設定登録部１１０は、「ＤｅｅｐＣｏｌｏｒ出力」に関して第４値（「オフ」）を登録し、且つ「ＨＤＲ」に関して第２値（「オフ」）を自動的に登録する。これにより、ディープカラー出力機能を無効にした状態で、ＨＤＲ出力機能を実行する事態を回避できる。以上の設定登録部１１０の動作により、ユーザは、ＨＤＲ出力機能の有効／無効を、容易に設定できるようになる。また、ＨＤＲ設定値についての説明文、またはディープカラー設定値についての説明文をユーザに提示することにより、ユーザは、一方の設定値に依存して他方の設定値が変更されることを確認できるようになる。
【００６７】
なお設定登録部１１０は、ユーザが「ＨＤＲ」に関して第２値（「オフ」）を選択しても、「ＤｅｅｐＣｏｌｏｒ出力」の設定値を変更しない。また設定登録部１１０は、ユーザが「ＤｅｅｐＣｏｌｏｒ出力」に関して第３値（「自動」）を選択しても、「ＨＤＲ」の設定値を変更しない。基本的に、ディープカラー出力機能とＨＤＲ出力機能とは独立した仕様であるため、このような場合には、互いの設定値を依存させないことが好ましい。
【００６８】
以上のように設定登録部１１０は、映像仕様に関する複数の項目の設定値を情報保持部１３０に登録して、映像出力設定が完了する。ユーザは任意のタイミングで、映像出力の再設定を実施できる。映像仕様に関する項目の設定値が情報保持部１３０に登録された後、出力パラメータ決定部１１６は、アプリケーションに設定されている映像データ仕様と、情報保持部１３０に保持された設定値とを参照して、表示機器４に出力する映像データの出力パラメータを決定する。
【００６９】
以下、アプリケーションを実行する処理について説明する。
入力受付部１０２が、ユーザからゲームの起動要求を受け付けると、出力パラメータ決定部１１６が、映像データおよび音声データの出力パラメータを決定して、出力処理部１１８に供給する。その後、アプリケーション処理部１１２がゲームプログラムを起動して、パラメータ情報にしたがって映像データおよび音声データを生成する。ここではゲームアプリケーションが、図３に示すＰＡＲＡＭファイルを有している場合について説明する。以下、音声データの生成処理については説明を省略する。
【００７０】
図３を参照して、ＰＡＲＡＭファイルには、映像データの生成仕様に関するパラメータ情報として、描画解像度が“２１６０ｐ”、各色の色深度が“１０ビット”、ＨＤＲ方式が“ＨＤＲ１０”であることが定義されている。アプリケーション処理部１１２は、これらの映像データ仕様にしたがって、ゲーム映像データを生成し、出力処理部１１８に供給する。
【００７１】
ゲームプログラムの起動前、出力パラメータ決定部１１６は、アプリケーション処理部１１２から、パラメータ情報を取得する。出力パラメータ決定部１１６は、パラメータ情報に含まれる映像データ仕様と、設定登録部１１０により情報保持部１３０に登録されている出力映像仕様の設定値とに基づいて、表示機器４に出力する映像データの出力パラメータ、具体的には解像度、輝度レンジおよび色深度を決定する。
【００７２】
表示機器４に出力する映像データの「解像度」が「自動」に設定されている場合、図６に示す７２０ｐ、１０８０ｉ、１０８０ｐ、２１６０ｐのうち、ＰＡＲＡＭファイルに規定された描画解像度と一致する解像度が出力解像度として決定される。ここでは、ＰＡＲＡＭファイルに含まれる描画解像度が２１６０ｐであるため、出力パラメータ決定部１１６は、出力解像度を２１６０ｐに決定する。
【００７３】
表示機器４に出力する映像データの「ＨＤＲ」および「ＤｅｅｐＣｏｌｏｒ出力」が「自動」に設定されている場合、図３に示すＰＡＲＡＭファイルにおいて「ディープカラー」および「ＨＤＲ」の設定情報が含まれているために、出力パラメータ決定部１１６は、各色の色深度を１０ビット、ＨＤＲ方式をＨＤＲ１０に決定する。
【００７４】
出力パラメータ決定部１１６は、決定した出力パラメータを、出力処理部１１８に供給する。出力処理部１１８は、アプリケーション処理部１１２で生成される映像データの仕様と、出力パラメータ決定部１１６で決定された出力パラメータとを比較する。アプリケーション処理部１１２で生成される映像データ仕様が、出力パラメータ決定部１１６で決定された出力パラメータと同じであれば、出力処理部１１８は、アプリケーション処理部１１２で生成される映像データの仕様を変更することなく、ＨＤＣＰプロトコルにより暗号化して、表示機器４に出力する。上記したように「解像度」、「ＨＤＲ」、「ＤｅｅｐＣｏｌｏｒ出力」の設定値が「自動」に設定されていれば、多くの場合、アプリケーション処理部１１２で生成される映像データが、そのまま暗号化されて、表示機器４に伝送されることになる。
【００７５】
なおアプリケーション処理部１１２で生成される映像データ仕様と、出力パラメータ決定部１１６で決定された出力パラメータとが異なっていれば、出力処理部１１８は、アプリケーション処理部１１２で生成される映像データを、出力パラメータ決定部１１６で決定された出力パラメータに合わせるように変換し、変換した映像データを暗号化して表示機器４に出力する。実施例では、表示機器４が４Ｋ出力可能なテレビであり、２１６０ｐ出力に対応しているが、たとえば表示機器４が２Ｋテレビであれば、２１６０ｐ出力に対応できない。このとき出力パラメータ決定部１１６が、出力解像度を１０８０ｐに決定していると、出力処理部１１８は、２１６０ｐで生成されたゲーム映像データを、１０８０ｐの解像度にダウンコンバートする必要がある。
【００７６】
出力処理部１１８は、ＰＡＲＡＭファイルに規定された描画解像度で生成された映像データを、出力パラメータ決定部１１６で決定された出力解像度にアップコンバートまたはダウンコンバートするコンバータを備える。コンバータは、ハードウェアスケーラとして構成されてもよいが、解像度変換機能をもつソフトウェアにより実現されてもよい。出力処理部１１８は、出力パラメータに合わせた映像データを、ＨＤＣＰプロトコルで暗号化して、表示機器４に出力する。
【００７７】
出力パラメータ決定部１１６が出力パラメータの決定処理を行うと、アプリケーション処理部１１２が、すぐにゲームプログラムの起動処理を行う。このときＨＤＣＰ情報取得部１０８によりＨＤＣＰ情報の取得処理が並列して実行され、出力パラメータ決定部１１６がＨＤＣＰ認証を実施する。この認証は、使用するＨＤＣＰのバージョンを表示機器４との間で決定する処理であり、ＨＤＣＰ認証が完了すると、その旨がアプリケーション処理部１１２に通知される。これにより、アプリケーション処理部１１２は、ゲームプログラムが立ち上がったときにはＨＤＣＰ認証が既に完了したことを認識でき、すぐにゲームアプリケーションを実行可能な状態をとることができる。
【００７８】
図３に示すように、アプリケーションは、ＨＤＣＰによる出力暗号化の有無、出力暗号化を行う際のＨＤＣＰバージョンを規定するＰＡＲＡＭファイルを有する。実施例の出力処理部１１８は、ＨＤＣＰ１．４とＨＤＣＰ２．２の２つのバージョンに対応可能である。また表示機器４は少なくともＨＤＣＰ１．４に対応可能であって、表示機器４によってはＨＤＣＰ２．２にも対応可能である。
【００７９】
ＨＤＣＰ情報取得部１０８は、表示機器４の対応可能なＨＤＣＰバージョン情報を取得し、出力パラメータ決定部１１６に供給する。ＨＤＣＰ情報取得部１０８は、表示機器４から、ＨＤＣＰ１．４に対応可能であるか、またはＨＤＣＰ１．４およびＨＤＣＰ２．２の双方に対応可能であるかを示すバージョン情報を受け取る。
【００８０】
上記したように出力パラメータ決定部１１６は、アプリケーション処理部１１２からパラメータ情報を取得する。パラメータ情報には、出力暗号化の有無、および出力暗号化を行う際のＨＤＣＰバージョン情報が含まれている。出力パラメータ決定部１１６は、ＨＤＣＰ情報取得部１０８から提供されるバージョン情報と、アプリケーション処理部１１２から提供されるパラメータ情報とに基づいて、使用するＨＤＣＰのバージョンを決定する。出力パラメータ決定部１１６は、決定したＨＤＣＰのバージョンを出力処理部１１８に通知し、出力処理部１１８は、表示機器４に出力するデジタルデータを、通知されたバージョンのＨＤＣＰで暗号化する。
【００８１】
以下、データ仕様を規定したパラメータ情報（ＰＡＲＡＭファイル）において、出力暗号化が“必須”とされている場合に、ＨＤＣＰ１．４を利用するか、またはＨＤＣＰ２．２を利用するかの判断基準について説明する。
【００８２】
（ａ）表示機器４がＨＤＣＰ１．４のみに対応可能である場合
この場合、ＨＤＣＰ２．２が利用不可であるため、出力パラメータ決定部１１６は、ＨＤＣＰ１．４で暗号化することを決定する。
【００８３】
（ｂ）表示機器４がＨＤＣＰ１．４およびＨＤＣＰ２．２に対応可能である場合
（ｂ−１）パラメータ情報に含まれるＨＤＣＰバージョン情報がＨＤＣＰ２．２であれば、出力パラメータ決定部１１６は、ＨＤＣＰ２．２で暗号化することを決定する。
（ｂ−２）パラメータ情報に含まれるＨＤＣＰバージョン情報がＨＤＣＰ１．４であれば、出力パラメータ決定部１１６は、出力パラメータに応じて、ＨＤＣＰ１．４またはＨＤＣＰ２．２のいずれで暗号化するか決定する。具体的には、出力パラメータで４Ｋ出力やＨＤＲ出力が設定されていれば、出力パラメータ決定部１１６はＨＤＣＰ２．２を採用し、２Ｋ出力が設定されていれば、出力パラメータ決定部１１６はＨＤＣＰ１．４を採用する。以下、この点について説明する。
【００８４】
実施例の情報処理システム１は、図１に示す表示機器４以外にも、他の表示ユニットに映像データを伝送可能とするアプリケーション実行環境を提供する。他の表示ユニットは、たとえばユーザが頭部に装着するヘッドマウントディスプレイ装置（ＨＭＤ）である。この実行環境では、情報処理装置１０が、第２の情報処理装置（以下「処理ユニット」と呼ぶ）に映像データを供給し、処理ユニットがＨＭＤに映像データを転送する。
【００８５】
このとき処理ユニットおよびＨＭＤが、表示機器４と同等の出力機能、たとえば４Ｋ出力機能やＨＤＲ出力機能を有し、またＨＤＣＰ２．２に対応していれば、出力パラメータ決定部１１６は、処理ユニットおよびＨＭＤの接続有無に関係なく、出力パラメータおよびＨＤＣＰバージョンを決定できる。しかしながら処理ユニットおよびＨＭＤが、表示機器４よりも低い水準の出力機能を有している場合、具体的には処理ユニットおよびＨＭＤが、２Ｋ出力機能しか有しておらず、ＨＤＲ出力やＨＤＣＰ２．２に対応していない場合、出力パラメータ決定部１１６は、処理ユニットおよびＨＭＤが接続されると、処理ユニットおよびＨＭＤの出力機能に合わせて出力パラメータおよびＨＤＣＰバージョンを変更する必要がある。
【００８６】
そのため出力処理部１１８が、４Ｋ映像および／またはＨＤＲ映像を表示機器４に出力している際に、ＨＭＤが接続されると、出力パラメータおよびＨＤＣＰバージョンが変更される。出力処理部１１８は、映像出力の変更処理を行う間、黒い画面の映像データを出力する。黒画面の出力期間は大体数秒程度であり、出力パラメータやＨＤＣＰバージョンを変更する際に、黒画面の表示は避けられない。
【００８７】
このように処理ユニットおよびＨＭＤが接続されると、出力解像度は２Ｋに設定され、またＨＤＲ出力はオフにされて、ＨＤＣＰ１．４による暗号化が実施される。これを逆から見ると、ＨＭＤ等の接続前の出力解像度が２Ｋであり、且つＨＤＲ出力がオフにされている場合には、その状態でＨＭＤ等が接続されても、出力パラメータを変更する必要がない。
【００８８】
この場合、ＨＤＣＰバージョンにも変更がなければ、ＨＭＤ等を接続しても、結果として出力パラメータおよびＨＤＣＰバージョンが変更されないため、黒画面を表示しなくて済むことになる。そこでＨＭＤ等の接続前に、出力解像度が２Ｋであり、且つＨＤＲ出力がオフにされていれば、出力パラメータ決定部１１６は、ＨＤＣＰ１．４を採用することを決定する。このようにＨＤＣＰバージョンを設定しておくと、ＨＭＤ等が接続されても、出力パラメータおよびＨＤＣＰバージョンを変更しなくてよいため、結果として黒画面表示を回避できる利点がある。つまり出力パラメータ決定部１１６が、追加で接続する処理ユニットおよびＨＭＤの出力機能に合わせた出力パラメータを設定する場合には、ＨＤＣＰのバージョンも、これらに合わせて決定することで、ＨＭＤ等が接続されたときに黒画面表示を行わなくてすむ。
【００８９】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００９０】
図５に示す映像出力設定画面７０において、「映像出力情報」の項目は、選択されることで、設定された映像出力情報を表示させるユーザインタフェースである。この項目が選択されると、画面生成部１１４は、映像出力情報として、解像度、カラーフォーマット、ＨＤＣＰバージョンなどを表示する。なお表示機器４が４Ｋテレビであって、現在のカラーフォーマットが最高画質よりも低く設定されているとき、その設定要因が、４Ｋテレビ側の設定初期値に依存しているケースがある。そのためカラーフォーマットが最高画質より低く設定されている場合には、画面生成部１１４が、テレビの設定変更をすることで、高品質のカラーフォーマットを出力できる可能性を、ユーザに提示してもよい。
【符号の説明】
【００９１】
１・・・情報処理システム、４・・・表示機器、５・・・ＨＤＭＩケーブル、１０・・・情報処理装置、６０・・・メインシステム、７０・・・映像出力設定画面、７２・・・解像度選択領域、７４・・・ＨＤＲ設定領域、７６・・・ディープカラー設定領域、１０２・・・入力受付部、１０４・・・機器情報取得部、１０６・・・特性情報取得部、１０８・・・ＨＤＣＰ情報取得部、１１０・・・設定登録部、１１２・・・アプリケーション処理部、１１４・・・画面生成部、１１６・・・出力パラメータ決定部、１１８・・・出力処理部、１３０・・・情報保持部。
【図１】
2018011274.tif 000003
【図２】
2018011274.tif 000004
【図３】
2018011274.tif 000005
【図４】
2018011274.tif 000006
【図５】
2018011274.tif 000007
【図６】
2018011274.tif 000008
【図７】
2018011274.tif 000009
【図８】
2018011274.tif 000010
【図９】
2018011274.tif 000011
【図１０】
2018011274.tif 000012